(57)【要約】【課題】建物の近傍に十分な空地がないときでも、また、既存の建物に対しても、支障なく足場板又は安全ネットを取り付けることができ、更に、足場板又は安全ネットを取り付けたときでも建物の養生を妨げることのない足場板又は安全ネットの取付手段を提供する。【解決手段】足場板又は安全ネットを支持する支持杆１と、該支持杆を角度調節可能に保持する保持体３とよりなり、該保持体は該保持体を建物の水平鋼材２３に取り外し自在に固定するための固定手段２５を備えていることを特徴とする足場板又は安全ネットの取付手段。【選択図】図１
0003130994.tif 000002
【実用新案登録請求の範囲】
【請求項１】
足場板又は安全ネットを支持する支持杆と、該支持杆を角度調節可能に保持する保持体とよりなり、該保持体は該保持体を建物の水平鋼材に取り外し自在に固定するための固定手段を備えていることを特徴とする足場板又は安全ネットの取付手段。
【請求項２】
前記保持体は、相対向する一対の垂直部材を備え、各垂直部材における基部側に第一透孔を形成し、前記支持杆における基部側には該第一透孔に対応する第一挿通孔を形成し、各垂直部材における先端側には複数の第二透孔をそれぞれ該第一透孔との間の距離が等しくなるように形成し、該支持杆における該第二透孔に対応する位置には単一の第二挿通孔を形成し、
各垂直部材の第一透孔と支持杆の第一挿通孔とに第一支軸を挿通し、各垂直部材におけるいずれかの第二透孔と支持杆の第二挿通孔とに第二支軸を挿通するようにしたことを特徴とする請求項１に記載の足場板又は安全ネットの取付手段。
【請求項３】
前記保持体における固定手段は、ボルトを挿通するためのボルト挿通孔であることを特徴とする請求項１又は２に記載の足場板又は安全ネットの取付手段。
【考案の詳細な説明】
【技術分野】
【０００１】
本考案は、足場板又は安全ネットの取付手段に関するものであり、更に詳しくは、建物の建築、修理、塗装等を行なう際に、建物に近接させた状態で配設される足場板又は安全ネットを該建物に取り付けるための足場板又は安全ネットの取付手段（取付装置）に係るものである。
【背景技術】
【０００２】
足場板又は安全ネットは、一般に、例えば登録実用新案第３０４８２０４号公報に示すように、水平支持杆を連結手段を介して縦パイプに固定し、該水平支持杆に足場板又は安全ネットを取り付けるようにしている。
【０００３】
前記縦パイプは、一般に、建物近傍の地上に立設されるが、建物における垂直の柱に固定されることもある。
【０００４】
また、ベランダに立設された脚立等の支持体上に足場板を載置する場合もある。
【特許文献１】登録実用新案第３０４８２０４号公報
【考案の開示】
【考案が解決しようとする課題】
【０００５】
足場板又は安全ネットを支持する縦パイプを地上に立設する場合には、建物の近傍に相応の空地が必要であり、建物の近傍に空地がないときには該縦パイプを立設することができない。
【０００６】
縦パイプを建物における垂直の柱に固定する場合には、該柱が露出している必要がある。従って、該縦パイプを既存の建物における柱に固定することはできない。
【０００７】
また、ベランダに立設された脚立等の支持体上に足場板を載置する場合には、特に建築中にあっては該ベランダの養生が妨げられることになる。
【０００８】
本考案は、上記従来の技術における上述の如き問題を解決し、建物の近傍に十分な空地がないときでも、また、既存の建物に対しても、支障なく足場板又は安全ネットを取り付けることができ、更に、足場板又は安全ネットを取り付けたときでも建物の養生を妨げることのない足場板又は安全ネットの取付手段を提供しようとしてなされたものである。
【課題を解決するための手段】
【０００９】
上記課題を解決するために、本考案は、下記の足場板又は安全ネットの取付手段を提供する。
【００１０】
（１）足場板又は安全ネットを支持する支持杆と、該支持杆を角度調節可能に保持する保持体とよりなり、該保持体は該保持体を建物の水平鋼材に取り外し自在に固定するための固定手段を備えていることを特徴とする足場板又は安全ネットの取付手段（請求項１）。
【００１１】
（２）前記保持体は、相対向する一対の垂直部材を備え、各垂直部材における基部側（水平鋼材に固定されている側）に第一透孔を形成し、前記支持杆における基部側（保持体に取り付けられている側）には該第一透孔に対応する第一挿通孔を形成し、各垂直部材における先端側（基部側と反対の側）には複数の第二透孔をそれぞれ該第一透孔との間の距離が等しくなるように形成し、該支持杆における該第二透孔に対応する位置には単一の第二挿通孔を形成し、
各垂直部材の第一透孔と支持杆の第一挿通孔とに第一支軸を挿通し、各垂直部材におけるいずれかの第二透孔と支持杆の第二挿通孔とに第二支軸を挿通する（請求項２）。
【００１２】
（３）前記保持体における固定手段は、ボルトを挿通するためのボルト挿通孔である（請求項３）。
【考案の効果】
【００１３】
［請求項１の考案］
請求項１の考案によれば、足場板又は安全ネットの取付手段は、地上に立設するものではなく、建物の水平鋼材に固定するものであるため、建物の近傍に十分な空地がないときでも、また、既存の建物に対しても、支障なく足場板又は安全ネットを取り付けることができる。
【００１４】
また、請求項１の足場板又は安全ネットの取付手段は、建物の水平鋼材に固定するものであるため、足場板又は安全ネットを取り付けたときでも建物におけるベランダ等の養生を妨げるおそれがない。
【００１５】
更に、請求項１の足場板又は安全ネットの取付手段における保持体は、支持杆を角度調節可能に保持するため、建物の屋根等と水平鋼材との位置関係の如何にかかわらず、足場板又は安全ネットを取り付けることができる。
【００１６】
［請求項２の考案］
請求項２の考案によれば、第二支軸を挿通する垂直部材における第二透孔を選択することにより、支持杆の角度を容易、かつ、確実に調節することができる。
【００１７】
［請求項３の考案］
保持体における固定手段は、ボルトを挿通するためのボルト挿通孔であるため、該ボルト挿通孔と水平鋼材の挿通孔とにボルトを挿通すると共に該ボルトにナットを螺合させて締め付けることにより、保持体を水平鋼材に取り外し自在に、かつ、確実に固定することができる。
【考案を実施するための最良の形態】
【００１８】
本考案による足場板又は安全ネットの取付手段は、支持杆１と保持体３とよりなる。
【００１９】
支持杆１は、足場板５又は安全ネット７を支持する。符号４に示すものは足場板５の支承杆、符号６に示すものは支承杆４の補助部材である。
【００２０】
支持杆１は、一例として、取付杆９を角度調節可能に支持する。
【００２１】
すなわち、取付杆９は、支持杆１との間の角度ａ（図２参照）を調節することができるように、支持杆１に取り付けられている。
【００２２】
図示の事例においては、支持杆１に支持部材１１を固定し、該支持部材１１に回動軸１３を介して取付杆９の基端９ａを枢着し、該支持部材１１には複数の挿通孔１５、１５・・・を回動軸１３との間の距離が等しくなるように形成し、取付杆９に形成された透孔１７と選択した一つの挿通孔１５とに支軸１９を挿通することにより、取付杆９を支持杆１に取り付けている。支軸１９は一例としてボルトとする。
【００２３】
この事例においては、支持部材１１形成された挿通孔１５、１５・・・を選択し、取付杆９の透孔１７と選択した一つの挿通孔１５とに支軸１９を挿通することにより、取付杆９と支持杆１との間の角度ａが調整される。
【００２４】
保持体３は、支持杆１を角度調節可能に保持する。
【００２５】
保持体３は、該保持体３を建物２１の水平鋼材２３に取り外し自在に固定するための固定手段２５を備えている。水平鋼材２３は、建物２１に水平方向に配設された鋼材である。
【００２６】
固定手段２５は、例えばボルト挿通孔とし、該ボルト挿通孔と建物２１の水平鋼材２３に予め形成されている透孔３１とにボルト２７を挿通し、該ボルト２７にナット２９を螺合させて締め付けることにより、保持体３を建物２１の水平鋼材２３に取り外し自在に固定する。符号３２に示すものは、水平鋼材２３を建物２１に固定するボルトである。
【００２７】
次に、保持体３について説明する。
【００２８】
保持体３は、相対向する一対の垂直部材３３、３３を備えている。
【００２９】
各垂直部材３３における基部３３ａ側に第一透孔３５を形成し、前記支持杆１における基部１ａ側には該第一透孔３５に対応する第一挿通孔３７を形成する。
【００３０】
各垂直部材３３における先端３３ｂ側には複数の第二透孔３９、３９・・・をそれぞれ該第一透孔３５との間の距離ｂ（図４参照）が等しくなるように形成し、該支持杆１における該第二透孔３９、３９・・・に対応する位置には単一の第二挿通孔４１を形成する。
【００３１】
各垂直部材３３の第一透孔３５と支持杆１の第一挿通孔３７とに第一支軸４３を挿通し、各垂直部材３３におけるいずれかの第二透孔３９と支持杆１の第二挿通孔４１とに第二支軸４５を挿通する。
【００３２】
第一支軸４３と第二支軸４５とは、一例として、それぞれボルトとし、各ボルトにナットを螺合させる。
【図面の簡単な説明】
【００３３】
【図１】本考案による足場板又は安全ネットの取付手段の一例を示す斜視図である。
【図２】同上取付手段により足場板を取り付けた状態を示す断面図である。
【図３】支持杆の基部と保持体とを示す断面図である。
【図４】保持体を示す斜視図である。
【図５】同上取付手段により安全ネットを取り付けた状態を示す断面図である。
【符号の説明】
【００３４】
１  支持杆
１ａ  基部
３  保持体
４  支承杆
５  足場板
６  補助部材
７  安全ネット
９  取付杆
９ａ  基端
１１  支持部材
１３  回動軸
１５  挿通孔
１７  透孔
１９  支軸
２１  建物
２３  水平鋼材
２５  固定手段
２７  ボルト
２９  ナット
３１  透孔
３２  ボルト
３３  垂直部材
３３ａ  基部
３５  第一透孔
３７  第一挿通孔
３９  第二透孔
４１  第二挿通孔
４３  第一支軸
４５  第二支軸
【図１】
0003130994.tif 000003
【図２】
0003130994.tif 000004
【図３】
0003130994.tif 000005
【図４】
0003130994.tif 000006
【図５】
0003130994.tif 000007
【手続補正書】
【提出日】平成19年2月19日(2007.2.19)
【手続補正１】
【補正対象書類名】実用新案登録請求の範囲
【補正対象項目名】全文
【補正方法】変更
【補正の内容】
【実用新案登録請求の範囲】
【請求項１】
足場板又は安全ネットを支持する支持杆と、該支持杆を角度調節可能に保持する保持体とよりなり、
該保持体は該保持体を建物の水平鋼材に取り外し自在に固定するための固定手段を備え、
更に、前記保持体は、相対向する一対の垂直部材を備え、各垂直部材における基部側に第一透孔を形成し、前記支持杆における基部側には該第一透孔に対応する第一挿通孔を形成し、各垂直部材における先端側には複数の第二透孔をそれぞれ該第一透孔との間の距離が等しくなるように形成し、該支持杆における該第二透孔に対応する位置には単一の第二挿通孔を形成し、
各垂直部材の第一透孔と支持杆の第一挿通孔とに第一支軸を挿通し、各垂直部材におけるいずれかの第二透孔と支持杆の第二挿通孔とに第二支軸を挿通するようにしたことを特徴とする足場板又は安全ネットの取付手段。
【手続補正２】
【補正対象書類名】明細書
【補正対象項目名】全文
【補正方法】変更
【補正の内容】
【考案の詳細な説明】
【技術分野】
【０００１】
本考案は、足場板又は安全ネットの取付手段に関するものであり、更に詳しくは、建物の建築、修理、塗装等を行なう際に、建物に近接させた状態で配設される足場板又は安全ネットを該建物に取り付けるための足場板又は安全ネットの取付手段（取付装置）に係るものである。
【背景技術】
【０００２】
足場板又は安全ネットは、一般に、例えば登録実用新案第３０４８２０４号公報に示すように、水平支持杆を連結手段を介して縦パイプに固定し、該水平支持杆に足場板又は安全ネットを取り付けるようにしている。
【０００３】
前記縦パイプは、一般に、建物近傍の地上に立設されるが、建物における垂直の柱に固定されることもある。
【０００４】
また、ベランダに立設された脚立等の支持体上に足場板を載置する場合もある。
【特許文献１】登録実用新案第３０４８２０４号公報
【考案の開示】
【考案が解決しようとする課題】
【０００５】
足場板又は安全ネットを支持する縦パイプを地上に立設する場合には、建物の近傍に相応の空地が必要であり、建物の近傍に空地がないときには該縦パイプを立設することができない。
【０００６】
縦パイプを建物における垂直の柱に固定する場合には、該柱が露出している必要がある。従って、該縦パイプを既存の建物における柱に固定することはできない。
【０００７】
また、ベランダに立設された脚立等の支持体上に足場板を載置する場合には、特に建築中にあっては該ベランダの養生が妨げられることになる。
【０００８】
本考案は、上記従来の技術における上述の如き問題を解決し、建物の近傍に十分な空地がないときでも、また、既存の建物に対しても、支障なく足場板又は安全ネットを取り付けることができ、更に、足場板又は安全ネットを取り付けたときでも建物の養生を妨げることのない足場板又は安全ネットの取付手段を提供しようとしてなされたものである。
【課題を解決するための手段】
【０００９】
上記課題を解決するために、本考案は、下記の足場板又は安全ネットの取付手段を提供する。
【００１０】
足場板又は安全ネットを支持する支持杆と、該支持杆を角度調節可能に保持する保持体とよりなり、
該保持体は該保持体を建物の水平鋼材に取り外し自在に固定するための固定手段を備え、
更に、前記保持体は、相対向する一対の垂直部材を備え、各垂直部材における基部側に第一透孔を形成し、前記支持杆における基部側には該第一透孔に対応する第一挿通孔を形成し、各垂直部材における先端側には複数の第二透孔をそれぞれ該第一透孔との間の距離が等しくなるように形成し、該支持杆における該第二透孔に対応する位置には単一の第二挿通孔を形成し、
各垂直部材の第一透孔と支持杆の第一挿通孔とに第一支軸を挿通し、各垂直部材におけるいずれかの第二透孔と支持杆の第二挿通孔とに第二支軸を挿通するようにしたことを特徴とする足場板又は安全ネットの取付手段。
【考案の効果】
【００１１】
本考案によれば、足場板又は安全ネットの取付手段は、地上に立設するものではなく、建物の水平鋼材に固定するものであるため、建物の近傍に十分な空地がないときでも、また、既存の建物に対しても、支障なく足場板又は安全ネットを取り付けることができる。
【００１２】
また、本考案の足場板又は安全ネットの取付手段は、建物の水平鋼材に固定するものであるため、足場板又は安全ネットを取り付けたときでも建物におけるベランダ等の養生を妨げるおそれがない。
【００１３】
更に、本考案の足場板又は安全ネットの取付手段における保持体は、支持杆を角度調節可能に保持するため、建物の屋根等と水平鋼材との位置関係の如何にかかわらず、足場板又は安全ネットを取り付けることができる。
【００１４】
本考案によれば、第二支軸を挿通する垂直部材における第二透孔を選択することにより、支持杆の角度を容易、かつ、確実に調節することができる。
【考案を実施するための最良の形態】
【００１５】
本考案による足場板又は安全ネットの取付手段は、支持杆１と保持体３とよりなる。
【００１６】
支持杆１は、足場板５又は安全ネット７を支持する。符号４に示すものは足場板５の支承杆、符号６に示すものは支承杆４の補助部材である。
【００１７】
支持杆１は、一例として、取付杆９を角度調節可能に支持する。
【００１８】
すなわち、取付杆９は、支持杆１との間の角度ａ（図２参照）を調節することができるように、支持杆１に取り付けられている。
【００１９】
図示の事例においては、支持杆１に支持部材１１を固定し、該支持部材１１に回動軸１３を介して取付杆９の基端９ａを枢着し、該支持部材１１には複数の挿通孔１５、１５・・・を回動軸１３との間の距離が等しくなるように形成し、取付杆９に形成された透孔１７と選択した一つの挿通孔１５とに支軸１９を挿通することにより、取付杆９を支持杆１に取り付けている。支軸１９は一例としてボルトとする。
【００２０】
この事例においては、支持部材１１形成された挿通孔１５、１５・・・を選択し、取付杆９の透孔１７と選択した一つの挿通孔１５とに支軸１９を挿通することにより、取付杆９と支持杆１との間の角度ａが調整される。
【００２１】
保持体３は、支持杆１を角度調節可能に保持する。
【００２２】
保持体３は、該保持体３を建物２１の水平鋼材２３に取り外し自在に固定するための固定手段２５を備えている。水平鋼材２３は、建物２１に水平方向に配設された鋼材である。
【００２３】
固定手段２５は、例えばボルト挿通孔とし、該ボルト挿通孔と建物２１の水平鋼材２３に予め形成されている透孔３１とにボルト２７を挿通し、該ボルト２７にナット２９を螺合させて締め付けることにより、保持体３を建物２１の水平鋼材２３に取り外し自在に固定する。符号３２に示すものは、水平鋼材２３を建物２１に固定するボルトである。
【００２４】
次に、保持体３について説明する。
【００２５】
保持体３は、相対向する一対の垂直部材３３、３３を備えている。
【００２６】
各垂直部材３３における基部３３ａ側に第一透孔３５を形成し、前記支持杆１における基部１ａ側には該第一透孔３５に対応する第一挿通孔３７を形成する。
【００２７】
各垂直部材３３における先端３３ｂ側には複数の第二透孔３９、３９・・・をそれぞれ該第一透孔３５との間の距離ｂ（図４参照）が等しくなるように形成し、該支持杆１における該第二透孔３９、３９・・・に対応する位置には単一の第二挿通孔４１を形成する。
【００２８】
各垂直部材３３の第一透孔３５と支持杆１の第一挿通孔３７とに第一支軸４３を挿通し、各垂直部材３３におけるいずれかの第二透孔３９と支持杆１の第二挿通孔４１とに第二支軸４５を挿通する。
【００２９】
第一支軸４３と第二支軸４５とは、一例として、それぞれボルトとし、各ボルトにナットを螺合させる。
【図面の簡単な説明】
【００３０】
【図１】本考案による足場板又は安全ネットの取付手段の一例を示す斜視図である。
【図２】同上取付手段により足場板を取り付けた状態を示す断面図である。
【図３】支持杆の基部と保持体とを示す断面図である。
【図４】保持体を示す斜視図である。
【図５】同上取付手段により安全ネットを取り付けた状態を示す断面図である。
【符号の説明】
【００３１】
１  支持杆
１ａ  基部
３  保持体
４  支承杆
５  足場板
６  補助部材
７  安全ネット
９  取付杆
９ａ  基端
１１  支持部材
１３  回動軸
１５  挿通孔
１７  透孔
１９  支軸
２１  建物
２３  水平鋼材
２５  固定手段
２７  ボルト
２９  ナット
３１  透孔
３２  ボルト
３３  垂直部材
３３ａ  基部
３５  第一透孔
３７  第一挿通孔
３９  第二透孔
４１  第二挿通孔
４３  第一支軸
４５  第二支軸